(57)【特許請求の範囲】
【請求項１】
互いに反応して不溶化を生ずる第１のインクと第２のインクのうち、前記第１のインクを吐出する第１吐出口列と前記第２のインクを吐出する第２吐出口列とが吐出口配設面に平行に配される記録ヘッドを用いて記録を行うインクジェット記録装置において、
前記第１吐出口列をワイピングする第１のブレードと、
前記第２吐出口列をワイピングする第２のブレードと、
前記第１のブレードと前記第２のブレードを、当該第１および第２ブレードが相互に所定の間隔を有するように保持し、ワイピングの際に平行に配された前記第１および第２吐出口列それぞれの吐出口配列方向に移動可能なブレードホルダと、
を備え、
前記第１のブレードと前記第２のブレードが、ワイピングの際に前記ブレードホルダが移動する方向に向かってハの字状に開いた状態になるように前記ブレードホルダにおいて配され、
ワイピングの移動に際して前記第１のブレードと前記第２のブレードの背後に位置し、前記吐出口配設面の、前記第１および第２ブレードの前記所定の間隔に対応した部分をワイピングする第３のブレードを備えることを特徴とするインクジェット記録装置。
【請求項２】
前記第３のブレードは前記吐出口配列方向に直交する方向に配されることを特徴とする請求項１に記載のインクジェット記録装置。
【請求項３】
前記第１吐出口列はブラックインクを吐出する吐出口列を備え、前記第２吐出口列は、イエローインクを吐出する吐出口列と、マゼンタインクを吐出する吐出口列と、シアンインクを吐出する吐出口列とを備えることを特徴とする請求項１または２に記載のインクジェット記録装置。
【請求項４】
前記イエローインクを吐出する吐出口列、前記マゼンタインクを吐出する吐出口列および前記シアンインクを吐出する吐出口列それぞれの間の間隔よりも、前記第１吐出口列と前記第２吐出口列の最も前記第１吐出口列に近い吐出口列との間隔のほうが大きいことを特徴とする請求項３に記載のインクジェット記録装置。
【請求項５】
前記第１のインクは色材として顔料を用いカチオン性のインクであり、前記第２のインクは色材として染料を用いアニオン性のインクであることを特徴とする請求項１ないし４のいずれか１項に記載のインクジェット記録装置。
【請求項６】
互いに反応して不溶化を生ずる第１のインクと第２のインクのうち、前記第１のインクを吐出する第１吐出口列と前記第２のインクを吐出する第２吐出口列とが吐出口配設面に平行に配される記録ヘッドを用いて記録を行うインクジェット記録装置のワイピング方法において、
前記第１吐出口列をワイピングする第１のブレードと、前記第２吐出口列をワイピングする第２のブレードと、前記第１のブレードと前記第２のブレードを、当該第１および第２ブレードが相互に所定の間隔を有するように保持し、ワイピングの際に平行に配された前記第１および第２吐出口列それぞれの吐出口配列方向に移動可能なブレードホルダと、を用意するステップと、
ワイピングの際に前記ブレードホルダが移動する方向に向かってハの字状に開いた状態になるように前記ブレードホルダにおいて配された前記第１のブレードと前記第２のブレードにより、前記第１の吐出口列と前記第２の吐出口列とをワイピングするステップと、しかる後に、ワイピングの移動に際して前記第１のブレードと前記第２のブレードの背後に位置する第３のブレードで、前記吐出口配設面の、前記第１および第２ブレードの前記所定の間隔に対応した部分をワイピングするステップと、を有することを特徴とするワイピング方法。
【発明の詳細な説明】
【０００１】
【発明の属する技術分野】
本発明は、インクジェット記録装置および該記録装置におけるワイピング方法に関し、詳しくは、インクを吐出する記録ヘッドの吐出性能を維持する処理の一環として行なわれるワイピングに用いられるブレードの構成に関するものである。
【０００２】
【従来の技術】
インクジェット記録装置は、低騒音、低ランニングコスト、装置の小型化やカラー化が容易等の利点を有し、プリンタ、ファックス、複写機等に応用されている。
【０００３】
この装置で用いられる記録ヘッドはインクを吐出する開口としての吐出口を具えている。インクジェット記録装置では、一般には、パーソナルコンピュータなどのホスト装置から送られてくる記録データに基づいた吐出信号に基づき、記録ヘッドを駆動し吐出口からインク滴を吐出する。このような吐出口の大きさは、例えば円形のものは直径が数十μ程度であり、近年では記録する画像等の高画質化とともに、より小さくなり高密度化されつつある。
【０００４】
ところで、インクジェット方式の記録装置はこのように微小な吐出口からインクを吐出させるものであるため、吐出口の目詰まりを生じ易く、また、相対的にインクの流動性(粘性)に関する変動の許容範囲が小さい。このため、インクジェット記録装置では、一般に、これらの目詰まりやインクの粘度の増大を防ぐため、あるいはこれらが生じた場合にそれを解消して、記録ヘッドのインク吐出性能を一定のものに維持するための回復処理が行なわれる。
【０００５】
この回復処理の一つは、キャップにより、非記録時などに記録ヘッドの吐出口が形成された面を覆う、いわゆるキャッピングである。非記録時など、インクを吐出しないときは、吐出口近傍のインクは装置がおかれた環境の温度や湿度等に応じてインク溶剤が蒸発して粘度が増大したり、極端な場合はインクが乾燥し固化することがある。そして、そのようなインクの増粘などによって、吐出量が少なくなったり吐出方向が偏向するなどの吐出不良や不吐出を生じ、記録品位の低下を招くことになる。キャッピングは、このような現象を未然に防止するためのものである。
【０００６】
他の回復処理として、目詰まりもしくは固化などの極端な増粘が生じてしまったような場合には、これらを強制的に除去するため、いわゆる吸引回復処理が行なわれる。すなわち、記録ヘッドの吐出口を配した面に上述のキャップを当接させてポンプによりこのキャップ内を減圧し、吐出口を介して吐出口内から増粘したインクなどを排出させる処理を行なう。なお、このポンプの方式には大きく分けると２種類あり、一つはシリンダタイプでピストンの移動とともに負圧を発生し、大きな負圧が得られるものである。二つ目はチューブポンプであり、チューブをローラでしごいたときにチューブ自身の復元力で負圧が発生するものである。
【０００７】
さらに他の回復処理として、いわゆる予備吐出が知られている。記録中は、記録ヘッドの全ての吐出口からインクを吐出しているわけではなく、記録データによっては、ある時間、全くインク吐出がなされない吐出口が存在する場合がある。このような吐出口は、インクが吐出されないことによって増粘しつつあるインクが除去されず、さらに増粘の度合いを増すことになる。このような事態を未然に防止するため、例えば、一定時間、もしくは一定量の記録を行なうごとに、キャップ等へ、記録ヘッドの全て、あるいは一部の吐出口からインクを吐出し、吐出口内のインクをリフレッシュする、予備吐出を行なうものである。なお、この予備吐出をキャップ内に行なう場合、予備吐出量がある量に達したときに、上述のポンプを作動してキャップ内のインクを吸引して排出することも行なわれる。
【０００８】
回復処理としては、以上のキャップを用いた回復処理の他、ブレードによって記録ヘッドの吐出口が配設された面を拭うワイピングが知られている。
【０００９】
記録ヘッドの吐出口が配設された面には、その記録ヘッドが対向する記録紙から生じる紙粉や塵埃、また、吐出したインクが記録紙で跳ね返って生じるインクミストが付着することがある。この場合、これらの紙紛やインクミストなどが微少な吐出口に付着すると、インクの不吐出や吐出不良を生ずることがある。この吐出不良などを未然に防ぐため、例えば、記録中に一定の時間が経過したとき、あるいは、一定量の記録を行なったときなど、記録中の所定のタイミングで、ブレードを記録ヘッドの上記吐出口配設面に当接させて摺擦動作を行なう、ワイピングを行う。これにより、上記面に付着した紙紛やインクミストなどを除去することができる。また、このワイピングは、ユーザーが記録画像に吐出不良による画像劣化を観察した場合などにも、ユーザーの指示操作に応じて、行われることもある。
【００１０】
また、ワイピングは、上述した他の回復処理に伴って行なわれるものでもある。すなわち、上記の予備吐出や吸引回復処理では、キャップ内にインクを吐出したり、記録ヘッドの吐出口配設面にキャップを当接した状態でキャップ内を減圧して吸引を行なう。これによって、これらの回復処理の後、キャップにもインクが付着していることが多い。そして、このインクが付着した状態のキャップが、次の回復処理で記録ヘッドの吐出口配設面に当接しそのインクをその配設面に移すことがある。このため、キャップの記録ヘッドに対する当接解除後に、ワイピングが行なわれる。
【００１１】
ところで、上述した回復処理の直接の対象である記録ヘッドの構成は、最近の記録画像の高品位化、例えば、黒文字等の濃度向上、カラー化、高精細(高解像度)化、耐水性向上等に対応したものであることが求められている。
【００１２】
一般に、シリアル方式のインクジェット記録装置は、記録ヘッドをキャリッジに搭載し、キャリッジの往復移動に応じて記録ヘッドからインクを吐出して記録紙にドットを形成して記録記録を行なう。この方式において上述した記録の高品位化の要求を満たし、しかもそれを廉価に実現するための記録ヘッドは、吐出する黒インクと他のカラーインクとが反応して不溶化するものであり、また、高密度の吐出口配列を有するものである。その構成の一例を図８に示す。
【００１３】
図８は記録ヘッドのインク吐出口が配列した面を模式的に示す図である。同図に示すように、記録ヘッド７は、黒（Ｂｋ）インクの吐出口列２３、イエロー（Ｙ）インクの吐出口列２４、マゼンタ（Ｍ）インクの吐出口列２５、シアン（Ｃ）インクの吐出口列を、記録ヘッド７の走査方向に並列させたものである。なお、同図では、図示の簡略化のため各吐出口は個々に示されず複数の吐出口の配列が１つの線として表わされている。以降の図においても同様である。
【００１４】
それぞれの吐出口列における吐出口間のピッチは高精細化にともなって、６００ｄｐｉ（ｄｏｔ ｐｅｒ ｉｎｃｈ）相当、あるいはさらに高精細の場合１２００ｄｐｉ相当である。そして、記録ヘッドのコンパクト化、ひいては装置のコンパクト化を図るため、吐出口列相互のピッチも小さくされる傾向にある。また、各色インクの吐出口の配列幅も、３．５ｍｍ程度で比較的高密度に構成されている。
【００１５】
また、高品位記録の要求に応じて記録ヘッドの構成として、耐水性の向上や色間の滲み防止などの点から、例えば、黒インクと他のカラーインクとの間の化学反応を生じるインクを用い、これにより染料等の不溶化を生じさせるものが知られている。例えば、黒インクがカチオン性を有し、一方、他のカラーインクがアニオン性を有するものである。これによって、黒文字等を記録するときに両者がイオン的に結合し染料等の色材の不溶化がなされ、記録した黒文字等の耐水性を向上させるものである。また、黒を記録する領域とカラー記録の領域と間の滲みを防止することができる。
【００１６】
【発明が解決しようとする課題】
しかしながら、吐出する黒インクとカラーインクが上述のようにその混合により不溶化するものである記録ヘッドが、コンパクト化されたものである場合、それに応じて黒インクの吐出口列と他のカラーインクの吐出口列との間のピッチが小さくなり、前述のブレードによるワイピングについて次のような問題を生ずることがあった。
【００１７】
前述したように、記録ヘッドの吐出口配設面に付着するインクミスト等による吐出不良を未然に防止すべく、ブレードを用いたワイピングを行なう。図９(ａ)および(ｂ)は、ワイピングのための構成の一従来例を示す模式図である。同図に示すように、一つのブレード２７を各インクの吐出口配列の方向に移動させて拭う動作を行う。これは、相互に反応して不溶化する黒インクと他のカラーインクがワイピングによって混合しないようにするためである。すなわち、ブレード２７の、黒インクの吐出口列２３を拭う部分と、他のカラーインクの吐出口列２４、２５、２６を拭う部分とが重複しないようにしたものである。
【００１８】
しかし、このような構成であっても、一つのブレード２７で記録ヘッドの吐出口配設面を拭うと、図９（ａ）および（ｂ）において符号２８で示されるように、ブレード２７の移動に伴い黒インクと他のカラーインクがともにブレードの中央付近に寄り混じることがある。その結果、反応による不溶化物を生じ、また、黒インクがカラーインクの吐出口へ侵入したり、逆に、カラーインクが黒インクの吐出口へ侵入したりする場合がある。その結果、吐出口近傍や吐出口内で、不溶化物が固着して目詰まりなどによる吐出不良や不吐出を生じることがある。
【００１９】
図９(ａ)および(ｂ)に示したような、ブレードの中央部に異なる色のインクが集まり混合してしまうといったことを防ぐワイピングの構成が、例えば、特開平７−２２３３２１号公報に記載されている。すなわち、この公報には、各色インクの吐出口列に対応してブレードが設けられることが記載されている。詳しくは、図８に示す吐出口配列とは異なる、各色インクの吐出口列が一直線状をなす記録へッドに対し、それらの吐出口列の各々に対応して、それぞれ、重複部分を有した二枚のブレードが“ハ”の字状を形成したブレードを設け、拭ったインクがその狭まる方向に移動するようにしたものである。これにより、拭われたそれぞれの色のインクが相互に混合しないそれぞれの箇所に移動させることが可能となる。
【００２０】
しかしながら、かかるワイピング構成は、吐出口列に直交する方向に拭う動作を行ない全ての吐出口をカバーして拭うことから、ブレードの“ハ”の字形状は、上記の通り拭う方向に対して重複部分を有することが必要であり、このため、中央部によるインク(同公報の場合、同じ色のインク)は相互に交じり合うことになる。また、上記公報に記載のブレードを、図８に示したような吐出口配列を有する記録ヘッドに対し適用しようとすると、各色インクの吐出口列２３〜２６に対応してそれぞれハの字状のブレードを設けるため、吐出口列間の間隔が大きくなり記録ヘッドのコンパクト化を図ることができないという問題を派生する。
【００２１】
本発明は、上述したワイピングに関する従来の問題を解消するためになされたものであり、その目的とするところは、記録ヘッドのコンパクト化を可能とするとともに、相互に反応して不溶化を生ずるインクを吐出する吐出口が一体に設けられた記録ヘッドにおいてそれらの吐出口配設面をワイピングするときに、ワイピングによって拭われるインクがそれぞれ他方の吐出口に影響を与えないようにしたインクジェット記録装置および該記録装置におけるワイピング方法を提供することにある。
【００２２】
【課題を解決するための手段】
そのために本発明では、互いに反応して不溶化を生ずる第１のインクと第２のインクのうち、前記第１のインクを吐出する第１吐出口列と前記第２のインクを吐出する第２吐出口列とが吐出口配設面に平行に配される記録ヘッドを用いて記録を行うインクジェット記録装置において、前記第１吐出口列をワイピングする第１のブレードと、前記第２吐出口列をワイピングする第２のブレードと、前記第１のブレードと前記第２のブレードを、当該第１および第２ブレードが相互に所定の間隔を有するように保持し、ワイピングの際に平行に配された前記第１および第２吐出口列それぞれの吐出口配列方向に移動可能なブレードホルダと、を備え、前記第１のブレードと前記第２のブレードが、ワイピングの際に前記ブレードホルダが移動する方向に向かってハの字状に開いた状態になるように前記ブレードホルダにおいて配され、ワイピングの移動に際して前記第１のブレードと前記第２のブレードの背後に位置し、前記吐出口配設面の、前記第１および第２ブレードの前記所定の間隔に対応した部分をワイピングする第３のブレードを備えることを特徴とする。
【００２４】
また、互いに反応して不溶化を生ずる第１のインクと第２のインクのうち、前記第１のインクを吐出する第１吐出口列と前記第２のインクを吐出する第２吐出口列とが吐出口配設面に平行に配される記録ヘッドを用いて記録を行うインクジェット記録装置のワイピング方法において、前記第１吐出口列をワイピングする第１のブレードと、前記第２吐出口列をワイピングする第２のブレードと、前記第１のブレードと前記第２のブレードを、当該第１および第２ブレードが相互に所定の間隔を有するように保持し、ワイピングの際に平行に配された前記第１および第２吐出口列それぞれの吐出口配列方向に移動可能なブレードホルダと、を用意するステップと、ワイピングの際に前記ブレードホルダが移動する方向に向かってハの字状に開いた状態になるように前記ブレードホルダにおいて配された前記第１のブレードと前記第２のブレードにより、前記第１の吐出口列と前記第２の吐出口列とをワイピングするステップと、しかる後に、ワイピングの移動に際して前記第１のブレードと前記第２のブレードの背後に位置する第３のブレードで、前記吐出口配設面の、前記第１および第２ブレードの前記所定の間隔に対応した部分をワイピングするステップと、を有することを特徴とする。
【００２５】
以上の構成によれば、ワイピングの際に前記ブレードホルダが移動する方向に向かってハの字状に開いた状態になるようにブレードホルダにおいて配された第１のブレードと第２のブレードにより、第１の吐出口列と第２の吐出口列とをワイピングするので、それぞれのブレードで拭いきれずに吐出口配設面に残される双方のインク等が一部存在するが、その残る位置は、相互に所定の間隔を有したそれぞれのブレードの一端部にそれぞれ対応する位置で基本的に混じらない位置とすることができる。
【００２６】
また、この残ったインク等、つまり上記反応に関して特性の異なるインクの吐出口の間の吐出口配設面に存在するインク等は、その吐出口配設面を拭うべく設けられた第３のブレードによって拭うことができる。
【００２７】
【発明の実施の形態】
以下、図面を参照して本発明の実施形態を詳細に説明する。
【００２８】
(実施形態１)
図１は、本発明の一実施形態に係わるインクジェットプリンタの主要部を模式的に示す斜視図である。
【００２９】
図１において、不図示のオートシートフィーダより給紙された記録媒体としての用紙３は、不図示の紙送りモータから伝達される駆動力によって回転するそれぞれ、送紙ローラ１およびこれに圧接するピンチローラ２と排紙ローラ１７および拍車１８とによって、プラテン４の上を搬送される。なお、図において拍車１８を回転可能に支持する機構の図示は省略されている。
【００３０】
これら搬送ローラ１等と排紙ローラ１７等との間には、キャリッジ５に搭載された記録ヘッドによる走査範囲が形成される。すなわち、キャリッジ５は、不図示のキャリッジモータの駆動力がベルト(不図示)を介して伝えられることにより、キャリッジ軸６に案内されながら、用紙３の送り方向とは直交する主走査方向に動作し、この動作の間に、記録ヘッド７の各色インクごとの吐出口から、記録データに応じて図中下方にインクを吐出して文字、画像などを記録して行く。詳しくは、キャリッジ５には、各色インクごとの吐出口列が一体なった記録ヘッド７が搭載され、また、記録ヘッド７の上方にはそれぞれのインクを記録ヘッドへ供給するための、ブラック(Ｂｋ)インクのインクタンク８、イエロー(Ｙ)インクのインクタンク９、マゼンタ(Ｍ)インクのインクタンク１０、シアン(Ｃ)インクのインクタンク１１が搭載される。記録ヘッド７は、本実施形態は、電気熱変換体を用いたヒータが発生する熱エネルギーによってインクに気泡を生じさせ、この気泡の圧力によってインクを吐出する方式を用いたものである。
【００３１】
記録ヘッド７が移動可能な範囲のうち記録のための走査範囲外に、回復ユニット１９が設けられる。回復ユニット１９は、従来技術の説明で前述したように、キャップやこれを介してインク吸引を行なうためのポンプなどを具える。また、回復ユニット１９には、記録ヘッド７の吐出口配設面のワイピングを行なうためのワイピング機構が設けられる。キャリッジ５は、例えば、記録開始時や記録中の所定時間ごとに、回復ユニット１９の位置へ移動し、これにより、前述した吸引回復処理、予備吐出、ワイピングを行なうことができる。
【００３２】
本実施形態のワイピング機構は、ワイピング方向にハの字状に開いた、重複部分のない２つのブレードと同方向に直交する方向に延在するブレードとからなるブレード群２１と、これを保持して上記ワイピイング方向(図中、矢印Ｃで示す方向)およびその逆方向に移動可能なブレードホルダ２０とを具える。ワイピングのとき、ブレードホルダ２０は不図示の回復系モータによって矢印Ｃ方向に移動し、これにより、図３にて後述されるように、ブレード群２１により記録ヘッド７の各吐出口列が配設された面を拭うことができる。
【００３３】
図２は、記録ヘッド７における、各インク色の吐出口列を配設した面(吐出口配設面)１２を模式的に示す図であり、図１におけるＡ矢視を示すものである。図２に示すように、Ｂｋインクを吐出する吐出口列１３と、Ｙ、Ｍ、Ｃそれぞれのインクを吐出する吐出口列１４、１５、１６とは、吐出口列１４、１５、１６相互の間隔より大きな間隔をおいて配設される。ここで、吐出口列１３の各吐出口が吐出するＢｋインクは、色材として顔料を用い、カチオン性のインクである。一方、吐出口列１４、１５、１６がそれぞれ吐出するＹ、Ｍ、Ｃそれぞれのインクは染料を用い、アニオン性を有したものである。そして、これらカチオンインクとアニオンインクは混合することにより、相互に反応して不溶化を生ずるものである。
【００３４】
本実施形態では、黒文字等の黒画像を記録する際、ブラックインクの他、シアンインクを重ねて吐出し、上記の不溶化を生じさせて記録画像の耐水性や濃度の向上を図る。なお、シアンインクの吐出データはブラックインクの吐出データと同じものとする必要はなく、例えば一定の割合でブラックの吐出データを間引いたデータとしてもよい。
【００３５】
図３は、ブレード群２１によって、図２に示した各吐出口列が配された面１２をワイピングする際の、特にブレード群２１の各ブレードと各吐出口列との関係を説明する図である。
【００３６】
図３に示すように、ブレード群２１におけるブレード２１ａとブレード２１ｂは、ワイピングの際に吐出口列に対してハの字状に開いた状態になるよう設けられるとともに、ブレード２１ａとブレード２１ｂとの間に所定の距離をおきこれらのブレードが重複しないようにしたものである。すなわち、ブレード２１ａおよび２１ｂは、吐出口列に直交する方向に対して一定の角度θを保ってワイピングを行ない、そのうち、ブレード２１ａは吐出口列１３が配設された部分を拭い、ブレード２１ｂは、吐出口列１４、１５、１６が配設された面を拭う。これにより、それぞれの拭われるインクは、図中下方へ移動しつつブレード２１ａ、２１ｂそれぞれの一方の端部へ向かって移動する。この結果、それぞれのインクの一部は、吐出口列１３と吐出口列１４、１５、１６との間の比較的広い中央部分における、ブレード２１ａ、２１ｂそれぞれの上記一端部に対応する位置でそれぞれのブレードから離れる。そして、このブレードから離れたそれぞれのインクは、吐出口列に直交する方向に延在し、ブレード２１ａとブレード２１ｂとの背後に配されるブレード２１ｃによって拭われる。
【００３７】
このように、本実施形態によれば、反応性のインクは、それらの一部がブレードを離れて上記中央部分に残ることがあるが、それぞれの位置は上記それぞれのブレードの一端部に対応して相互に離れており、交わり難い位置である。また、拭う量や吐出口列１３と吐出口列１４、１５、１６との距離によっては、接触もしくは混合して不溶化を生じる可能性が高くなるが、その接触等の後、直ちに中央部に対応したブレード２１ｃによって拭われるので、それらのインクを吐出口配設面１２から排除することができる。また、吐出口ごとのブレードを設ける必要もなく、ワイピングの構成を簡易にすることができる。
【００３８】
なお、ブレード群２１の各ブレードの材質は、ウレタン、ＨＮＢＲ，ＥＰＤＭ等が望ましい。
【００３９】
(実施形態２)
本実施形態は、ワイピングに関して上述した実施形態１とほぼ同様の構成であるが、ブレードの数が異なる。
【００４０】
例えば、Ｂｋインクと他のカラーインクとの反応性が、上述した実施形態１で用いるインクより強い場合に対応し、ブレード群は、図４に示すように、６枚のブレードを有したものである。このブレード群において、Ｂｋインクの吐出口列１３に対応してブレード２２ａ、２２ｃが設けられ、また、カラーインクの吐出口列１４、１５、１６に対応してブレード２２ｂ、２２ｄが設けられる。つまり、反応性が強い場合には、それらのインクはわずかな量の接触等でも反応し易く、その分不溶化の度合いも強くなる。従って、仮にワイピングの途中で既に反応して僅かに不溶化する場合があると、ブレードで拭いても掻き落としにくくなる。このため、さらに一対の“ハ”の字状の小さいブレード２２ｃ、２２ｄを、大きい一番目の“ハ”の字状のブレード２１ａ、２１ｂの後にそれぞれ設ける。この構成により、反応し易く不溶化し易い、配設面１２に残ったインクを掻き落とすことができる。さらに、直交する方向に延在するブレードについても、ブレード２２ｅ、２２ｆの２つを設け、仕上げ拭きを行う。
【００４１】
（参考例１）
図５は、本発明の第１の参考例に係わるインクジェットプリンタを示す図であり、図１と同様の図である。本参考例が実施形態１と異なる点は、ブレード群２１を構成するブレードがその拭う方向に直交する方向と平行に設けられる点である。
【００４２】
このように、上記実施形態１および２に示したように、ブレードがその拭う方向に直交する方向に対して所定の角度θを有して設けられる場合だけでなく、θ＝０度の場合も可能である。この角度の場合、インクがブレードの一端へ向かう移動の量は上記実施形態１、２と比べると少なくなるので、Ｙ、Ｍ、Ｃの各カラーインク間でこれらが交じり合う量を少なくできる。
【００４３】
図６は、本参考例のブレード群２１の配列を示す図である。同図に示すように、ブレード群２１におけるブレード２１ｇとブレード２１ｈは、各吐出口列に直交する方向に対して平行になるよう設けられるとともに、ブレード２１ｇとブレード２１ｈとの間に所定の距離をおきこれらのブレードが重複しないようにしたものである。
【００４４】
（参考例２）
図７は、本発明の第２の参考例に係るブレード群２１の配列を示す図であり、上記参考例１と同様、ブレードを各吐出口列に直交する方向に対して平行になるよう設け、また、上記実施形態２と同様ブレードを複数設けたものである。
【００４５】
同図に示すように、ブレード群は、６枚のブレードを有したものである。このブレード群において、Ｂｋインクの吐出口列１３に対応してブレード２２ｉ、２２ｋが設けられ、また、カラーインクの吐出口列１４、１５、１６に対応してブレード２２ｊ、２２ｌが設けられる。
【００４６】
(他の実施形態)
上記の各実施形態では、一対のブレードについていずれも同じ角度としたが、本発明の適用はこれに限られない。例えば、一対のブレードのうち、一方が０度で、他方が０度でない所定の角度を有して設けられてもよい。
【００４７】
【発明の効果】
以上の説明から明らかなように、本発明によれば、ワイピングの際に前記ブレードホルダが移動する方向に向かってハの字状に開いた状態になるようにブレードホルダにおいて配された第１のブレードと第２のブレードにより、第１の吐出口列と第２の吐出口列とをワイピングするので、それぞれのブレードで拭いきれずに吐出口配設面に残される双方のインク等が一部存在するが、その残る位置は、相互に所定の間隔を有したそれぞれのブレードの一端部にそれぞれ対応する位置で基本的に混じらない位置とすることができる。
【００４８】
また、この残ったインク等、つまり上記反応に関して特性の異なるインクの吐出口の間の吐出口配設面に存在するインク等は、その吐出口配設面を拭うべく設けられた第３のブレードによって拭うことができる。
【００４９】
この結果、特にコンパクトな構成で、ワイピングによって拭われる反応性のインクがそれぞれ他方の吐出口に影響を与えないようにすることができ、ワイピングによって不吐出や吐出不良の発生しない信頼性の高いインクジェット記録装置を提供することができる。
【図面の簡単な説明】
【図１】  本発明の一実施形態にかかるインクジェットプリンタの要部の構成を模式的に示す斜視図である。
【図２】  図１におけるＡ矢視図であり、記録ヘッドの吐出口配設面における各色インクの吐出口列配置を示す図である。
【図３】  図１に示すインクジェットプリンタにおけるブレード群によるワイピングの際の各ブレードと吐出口配設面との関係を説明する図である。
【図４】  本発明の第２の実施形態におけるブレード群によるワイピングの際の各ブレードと吐出口配設面との関係を説明する図である。
【図５】  本発明の第１の参考例にかかるインクジェットプリンタの要部の構成を模式的に示す斜視図である。
【図６】  図５に示すインクジェットプリンタにおけるブレード群によるワイピングの際の各ブレードと吐出口配設面との関係を説明する図である。
【図７】  本発明の第２の参考例におけるブレード群によるワイピングの際の各ブレードと吐出口配設面との関係を説明する図である。
【図８】  従来の記録ヘッドの吐出口配設面における吐出口配置を示す図である。
【図９】  （ａ）および（ｂ）は、従来のインクジェット記録装置におけるブレードによるワイピングの際の、ブレードと記録ヘッドとの関係を示すそれぞれ平面図および側面図である。
【符号の説明】
１        送紙ローラ
２        ピンチローラ
３        用紙
４        プラテン
５        キャリッジ
６        キャリッジ軸
７        記録ヘッド
８        Ｂｋインクタンク
９        Ｙインクタンク
１０      Ｍインクタンク
１１      Ｃインクタンク
１２      吐出口配設面
１３      Ｂｋインクの吐出口列
１４      Ｙインクの吐出口列
１５      Ｍインクの吐出口列
１６      Ｃインクの吐出口列
１７      排紙ローラ
１８      拍車
１９      回復ユニット
２０      ブレードホルダ
２１      ブレード群
２１ａ、２１ｂ、２１ｃ、２２ａ、２２ｂ、２２ｃ、２２ｄ、２２ｅ、２２ｆ、２１ｇ、２１ｈ、２１ｉ、２１ｊ、２１ｋ、２１ｌ      ブレード
【図１】
0004164275.tif 000002
【図２】
0004164275.tif 000003
【図３】
0004164275.tif 000004
【図４】
0004164275.tif 000005
【図５】
0004164275.tif 000006
【図６】
0004164275.tif 000007
【図７】
0004164275.tif 000008
【図８】
0004164275.tif 000009
【図９】
0004164275.tif 000010